(57)【要約】  複数の空調空間に対応した利用側熱交換器の必要能力を決定する第１ステップと、決定した能力を有する利用側熱交換器の全てに冷媒を循環させるとしたときに必要な総冷媒量を算出する第２ステップと、総冷媒量が冷媒利用の各空調空間のそれぞれで漏洩したときの冷媒濃度を各空調空間毎に算出する第３ステップと、各空調空間の冷媒濃度が予め定めた限界濃度を超えるか否か判断する第４ステップと、第４ステップにおいて限界濃度を超える空調空間があった場合に、空調空間の何れか１つに設置する利用側熱交換器の循環熱媒体を無毒性の媒体に選定する第５ステップと、無毒性の媒体に選定された利用側熱交換器以外の利用側熱交換器の全てに冷媒を循環させるとしたときに必要な総冷媒量を算出して第３ステップの総冷媒量とする第６ステップと、を備えた空調システムの施工時における利用側熱交換器の熱媒体選定方法。
2013080257.tif 000002
【特許請求の範囲】
【請求項１】
複数の空間を空調対象とし、各空間にそれぞれ設置する利用側熱交換器の循環熱媒体として冷媒と無毒性の媒体との２種類が共存可能な空調システムの施工時における利用側熱交換器の熱媒体選定方法であって、
各空調空間に対応した利用側熱交換器の必要能力を決定する第１ステップと、
決定した能力を有する利用側熱交換器の全てに冷媒を循環させるとしたときに必要な総冷媒量を算出する第２ステップと、
前記総冷媒量が冷媒利用の各空調空間のそれぞれで漏洩したときの冷媒濃度を各空調空間毎に算出する第３ステップと、
各空調空間の前記冷媒濃度が予め定めた限界濃度を超えるか否か判断する第４ステップと、
前記第４ステップにおいて前記限界濃度を超える空調空間があった場合に、前記空調空間の何れか１つに設置する前記利用側熱交換器の循環熱媒体を無毒性の媒体に選定する第５ステップと、
無毒性の媒体に選定された利用側熱交換器以外の前記利用側熱交換器の全てに冷媒を循環させるとしたときに必要な総冷媒量を算出して前記第３ステップの総冷媒量とする第６ステップと、
を備えた空調システムの施工時における利用側熱交換器の熱媒体選定方法。
【請求項２】
前記ステップ５において、
前記複数の利用側熱交換器の運転態様に応じて各利用側熱交換器に対する冷媒の流れを切り替える中継器から最も遠い利用側熱交換器の循環熱媒体を、無毒性の媒体とする請求項１記載の熱媒体選定方法。
【請求項３】
前記ステップ５において、
前記総冷媒量の削減幅が最大となる利用側熱交換器の循環熱媒体を、無毒性の媒体とする請求項１記載の熱媒体選定方法。
【請求項４】
前記ステップ５において、
前記空調空間のなかで容積が最も小さい空調空間に対応する利用側熱交換器の循環熱媒体を無毒性の媒体とする請求項１記載の熱媒体選定方法。
【請求項５】
前記第５ステップで前記循環熱媒体を無毒性の媒体とするのは、前記ステップ４において前記限界濃度を越えた空調空間のなかから選定される請求項１〜４のいずれか一項に記載の熱媒体選定方法。
【請求項６】
前記複数の空調空間の間で、冷房運転と暖房運転との混在運転を可能としている、請求項１〜５のいずれか一項に記載の熱媒体選定方法。
【発明の詳細な説明】
【技術分野】
【０００１】
本発明は、たとえばビル用マルチエアコン等に適用される空気調和装置に関するものである。
【背景技術】
【０００２】
空気調和装置には、ビル用マルチエアコンなどのように、熱源機（室外機）が建物外に配置され、室内機が建物の室内に配置されたものがある。このような空気調和装置の冷媒回路を循環する冷媒は、室内機の熱交換器に供給される空気に放熱（吸熱）して、当該空気を加温又は冷却する。そして、加温又は冷却された空気が、空調対象空間に送り込まれて暖房又は冷房が行われるようになっている。
このような空気調和装置は、通常ビルが室内空間を複数有しているので、それに応じて室内機も複数からなる。また、ビルの規模が大きい場合には、室外機と室内機とを接続する冷媒配管が１００ｍになる場合がある。室外機と室内機とを接続する配管長が長いと、その分だけ冷媒回路に充填される冷媒量が増加する。【０００３】
このようなビル用マルチエアコンの室内機は、人が居る室内空間（たとえば、オフィス空間や居室、店舗等）に配置されて利用されることが通常である。何らかの原因によって、室内空間に配置された室内機から冷媒が漏れた場合、冷媒の種類によっては引火性、有毒性を有しており、人体への影響及び安全性の観点から問題となる可能性がある。また、人体に有害ではない冷媒であったとしても、冷媒漏れによって、室内空間での酸素濃度が低下し、人体に影響を及ぼすことも想定される。【０００４】
このような課題に対応するために、空気調和装置に２次ループ方式を採用し、１次側ループには冷媒で行い、２次側ループには有害でない水やブラインを用いて人の居る空間を空調し、かつ廊下などの共有空間を１次側の冷媒で直接空調する方法が考えられる（たとえば、特許文献１参照）。【０００５】
しかし、上記のような冷媒と水やブラインでの空調が混在したシステムにおいて、冷媒と水・ブラインでの空調をどのような空間に使い分けるかに関して、明確に判断することができなかった。
【先行技術文献】
【特許文献】
【０００６】
【特許文献１】ＷＯ２０１１−０６４８３０Ａ１公報
【発明の概要】
【発明が解決しようとする課題】
【０００７】
従来は、上記特許文献１のような技術において、冷媒による空調と水・ブラインによる空調を使い分ける使用方法がなかった。【０００８】
そこで、本発明では、冷媒と水やブラインでの空調が混在したシステムの施工時において、冷媒と水・ブラインでの空調をどのような空間に使い分けるかを提示した使用方法に関するものである。
【課題を解決するための手段】
【０００９】
本発明に係る空調システムの施工時における利用側熱交換器の熱媒体選定方法は、
複数の空間を空調対象とし、各空間にそれぞれ設置する利用側熱交換器の循環熱媒体として冷媒と無毒性の媒体との２種類が共存可能な空調システムの施工時における利用側熱交換器の熱媒体選定方法であって、
各空調空間に対応した利用側熱交換器の必要能力を決定する第１ステップと、
決定した能力を有する利用側熱交換器の全てに冷媒を循環させるとしたときに必要な総冷媒量を算出する第２ステップと、
前記総冷媒量が冷媒利用の各空調空間のそれぞれで漏洩したときの冷媒濃度を各空調空間毎に算出する第３ステップと、
各空調空間の前記冷媒濃度が予め定めた限界濃度を超えるか否か判断する第４ステップと、
前記第４ステップにおいて前記限界濃度を超える空調空間があった場合に、前記空調空間の何れか１つに設置する前記利用側熱交換器の循環熱媒体を無毒性の媒体に選定する第５ステップと、
無毒性の媒体に選定された利用側熱交換器以外の前記利用側熱交換器の全てに冷媒を循環させるとしたときに必要な総冷媒量を算出して前記第３ステップの総冷媒量とする第６ステップと、を備えたものである。
【発明の効果】
【００１０】
室内機で居住空間に熱を伝達する物質として冷媒と水・ブライン両方を使い分けることができるシステムにおいて、その使い分けの方法を自動的かつ簡易に選定できる。
【図面の簡単な説明】
【００１１】
【図１】本発明の実施の形態に係る空気調和装置の設置例を示す概略図である。
【図２】本発明の実施の形態に係る空気調和装置の冷媒回路構成例である。
【図３】図２に示す空気調和装置の全冷房運転モード時における冷媒の流れを示す冷媒回路図である。
【図４】図２に示す空気調和装置の全暖房運転モード時における冷媒の流れを示す冷媒回路図である。
【図５】図２に示す空気調和装置の冷房主体運転モード時における冷媒の流れを示す冷媒回路図である。
【図６】図２に示す空気調和装置の暖房主体運転モード時における冷媒の流れを示す冷媒回路図である。
【図７】本実施の形態に係る室内空間における室内機配置図を示すものである。
【図８】本実施の形態に係る空気調和装置に採用される冷却媒体選定フロー（距離に基づく選定）を説明するフローチャートである。
【図９】本実施の形態に係る空気調和装置に採用される冷却媒体選定フロー（冷媒量に基づく選定）を説明するフローチャートである。
【図１０】本実施の形態に係る空気調和装置に採用される冷却媒体選定フロー（室内容積に基づく選定）を説明するフローチャートである。
【発明を実施するための形態】
【００１２】
実施の形態１．
図１に図示されるように、本実施の形態に係る空気調和装置１００は、熱源機である１台の室外機１と、複数台の室内機２と、室外機１と室内機２との間に介在する熱媒体変換機３と、複数台の室内機７１と、室外機１と室内機７１との間に介在する中継器７０を有している。熱媒体変換機３は、熱源側冷媒と熱媒体とで熱交換を行なうものである。室外機１と熱媒体変換機３とは、熱源側冷媒を循環させるための冷媒配管４で接続されている。熱媒体変換機３と室内機２とは、熱媒体を循環させるための配管（熱媒体配管）５で接続されている。そして、室外機１で生成された冷熱あるいは温熱は、熱媒体変換機３を介して室内機２に配送されるようになっている。また、中継機７０を通った冷媒は、直接室内機７１に配送されるようになっている。
【００１３】
本実施の形態に係る空気調和装置１００は、熱源側冷媒を間接的に利用する方式（間接方式）と、直接的に利用する方式（直接方式）の両方が可能となる方式を採用している。すなわち、熱源側冷媒に貯えた冷熱または温熱を、熱源側冷媒とは異なる媒体（以下、熱媒体と称する）に伝達し、熱媒体に貯えた冷熱または温熱で空調対象空間を冷房または暖房するものと、上記熱源側冷媒に貯えた冷熱または温熱で直接空調対象空間を冷房または暖房する両方を兼ね備えたものである。
【００１４】
図２に図示されるように、空気調和装置１００は、冷媒を循環させる冷凍サイクルを有しており、各室内機２ａ〜２ｄ及び７１ｅ〜７１ｆが運転モードとして冷房モードあるいは暖房モードを自由に選択できるものである。
そして、本実施の形態に係る空気調和装置１００は、冷媒としてたとえばＲ−２２、Ｒ−１３４ａ等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ３  ＣＦ＝ＣＨ２  等の地球温暖化係数が比較的小さい値とされている冷媒やその混合物、あるいはＣＯ２  やプロパン等の自然冷媒が採用された冷媒循環回路Ａ、及び熱媒体として水などが採用された熱媒体循環回路Ｂを有している。
【００１５】
［室外機１］
室外機１には、冷媒を圧縮する圧縮機１０、四方弁等で構成される第１冷媒流路切替装置１１、蒸発器又は凝縮器として機能する熱源側熱交換器１２、及び余剰冷媒を貯留するアキュムレーター１９が冷媒配管４に接続されて搭載されている。
また、室外機１には、第１接続配管４ａ、第２接続配管４ｂ、逆止弁１３（１３ａ〜１３ｄ）が設けられている。第１接続配管４ａ、第２接続配管４ｂ、逆止弁１３ａ、逆止弁１３ｂ、逆止弁１３ｃ、及び逆止弁１３ｄを設けることで、室内機２の要求する運転に関わらず、熱媒体変換機３及び中継器７０に流入させる熱源側冷媒の流れを一定方向にすることができる。
【００１６】
圧縮機１０は、熱源側冷媒を吸入し、その熱源側冷媒を圧縮して高温・高圧の状態にするものであり、たとえば容量制御可能なインバータ圧縮機等で構成するとよい。
第１冷媒流路切替装置１１は、暖房運転モード時（全暖房運転モード時及び暖房主体運転モード時）における熱源側冷媒の流れと冷房運転モード時（全冷房運転モード時及び冷房主体運転モード時）における熱源側冷媒の流れとを切り替えるものである。
【００１７】
熱源側熱交換器１２は、暖房運転時には蒸発器として機能し、冷房運転時には凝縮器として機能し、図示省略のファン等の送風機から供給される空気と熱源側冷媒との間で熱交換を行なうものである。
【００１８】
［室内機２］
室内機２には、それぞれ利用側熱交換器２６が搭載されている。この利用側熱交換器２６は、配管５によって熱媒体変換機３の熱媒体流量調整装置２５と第２熱媒体流路切替装置２３に接続されている。この利用側熱交換器２６は、図示省略のファン等の送風機から供給される空気と熱媒体との間で熱交換を行ない、室内空間７に供給するための暖房用空気あるいは冷房用空気を生成するものである。
【００１９】
［室内機７１］
室内機７１には、それぞれ利用側熱交換器６１と膨張弁６２が搭載されている。この利用側熱交換器６１は、配管６７によって中継器７０の絞り装置６５及び絞り装置６６と、配管によって中継器７０の電磁弁６３、電磁弁６４に接続されている。この利用側熱交換器６１は、図示省略のファン等の送風機から供給される空気と熱媒体との間で熱交換を行ない、室内空間８０に供給するための暖房用空気あるいは冷房用空気を生成するものである。
【００２０】
［熱媒体変換機３］
熱媒体変換機３には、冷媒と熱媒体とが熱交換する２つの熱媒体間熱交換器１５（１５ａ，１５ｂ）、冷媒を減圧させる２つの絞り装置１６（１６ａ，１６ｂ）、冷媒配管４の流路を開閉する２つの開閉装置１７（１７ａ，１７ｂ）、冷媒流路を切り替える２つの第２冷媒流路切替装置１８（１８ａ，１８ｂ）、熱媒体を循環させる２つのポンプ２１（２１ａ，２１ｂ）、配管５の一方に接続される４つの第１熱媒体流路切替装置２２（２２ａ〜２２ｄ）、配管５の他方に接続される４つの第２熱媒体流路切替装置２３（２３ａ〜２３ｄ）、及び、第１熱媒体流路切替装置２２が接続される方の配管５に接続される４つの熱媒体流量調整装置２５（２５ａ〜２５ｄ）が設けられている。
【００２１】
熱媒体間熱交換器１５ａ、１５ｂは、凝縮器（放熱器）又は蒸発器として機能し、熱源側冷媒と熱媒体とで熱交換を行ない、室外機１で生成され熱源側冷媒に貯えられた冷熱又は温熱を熱媒体に伝達するものである。熱媒体間熱交換器１５ａは、冷媒循環回路Ａにおける絞り装置１６ａと第２冷媒流路切替装置１８ａとの間に設けられており、冷房暖房混在運転モード時においては、熱媒体の冷却に供するものである。熱媒体間熱交換器１５ｂは、冷媒循環回路Ａにおける絞り装置１６ｂと第２冷媒流路切替装置１８ｂとの間に設けられており、冷房暖房混在運転モード時においては、熱媒体の加熱に供するものである。
【００２２】
絞り装置１６ａ、１６ｂは、減圧弁や膨張弁としての機能を有し、熱源側冷媒を減圧して膨張させるものである。絞り装置１６ａは、全冷房運転モード時の熱源側冷媒の流れにおいて熱媒体間熱交換器１５ａの上流側に設けられている。絞り装置１６ｂは、全冷房運転モード時の熱源側冷媒の流れにおいて熱媒体間熱交換器１５ｂの上流側に設けられている。これらの絞り装置１６は、開度が可変に制御可能なもの、たとえば電子式膨張弁等で構成するとよい。
【００２３】
開閉装置１７ａ、１７ｂは、二方弁等で構成されており、冷媒配管４を開閉するものである。
【００２４】
第２冷媒流路切替装置１８ａ、１８ｂは、四方弁等で構成され、運転モードに応じて熱源側冷媒の流れを切り替えるものである。第２冷媒流路切替装置１８ａは、全冷房運転モード時の熱源側冷媒の流れにおいて熱媒体間熱交換器１５ａの下流側に設けられている。第２冷媒流路切替装置１８ｂは、全冷房運転モード時の熱源側冷媒の流れにおいて熱媒体間熱交換器１５ｂの下流側に設けられている。
【００２５】
ポンプ２１ａ、２１ｂは、配管５内の熱媒体を循環させるものである。ポンプ２１ａは、熱媒体間熱交換器１５ａと第２熱媒体流路切替装置２３との間における配管５に設けられている。ポンプ２１ｂは、熱媒体間熱交換器１５ｂと第２熱媒体流路切替装置２３との間における配管５に設けられている。これらのポンプ２１は、たとえば容量制御可能なポンプ等で構成するとよい。なお、ポンプ２１ａを、熱媒体間熱交換器１５ａと第１熱媒体流路切替装置２２との間における配管５に設けてもよい。また、ポンプ２１ｂを、熱媒体間熱交換器１５ｂと第１熱媒体流路切替装置２２との間における配管５に設けてもよい。
【００２６】
第１熱媒体流路切替装置２２（２２ａ〜２２ｄ）は、三方弁等で構成されており、熱媒体の流路を切り替えるものである。第１熱媒体流路切替装置２２は、室内機２の設置台数に応じた個数が設けられるようになっている。第１熱媒体流路切替装置２２は、三方のうちの一つが熱媒体間熱交換器１５ａに、三方のうちの一つが熱媒体間熱交換器１５ｂに、三方のうちの一つが熱媒体流量調整装置２５に、それぞれ接続され、利用側熱交換器２６の熱媒体流路の出口側に設けられている。なお、室内機２に対応させて、紙面下側から第１熱媒体流路切替装置２２ａ、第１熱媒体流路切替装置２２ｂ、第１熱媒体流路切替装置２２ｃ、第１熱媒体流路切替装置２２ｄとして図示している。
【００２７】
第２熱媒体流路切替装置２３（２３ａ〜２３ｄ）は、三方弁等で構成されており、熱媒体の流路を切り替えるものである。第２熱媒体流路切替装置２３は、室内機２の設置台数に応じた個数（ここでは４つ）が設けられるようになっている。第２熱媒体流路切替装置２３は、三方のうちの一つが熱媒体間熱交換器１５ａに、三方のうちの一つが熱媒体間熱交換器１５ｂに、三方のうちの一つが利用側熱交換器２６に、それぞれ接続され、利用側熱交換器２６の熱媒体流路の入口側に設けられている。ここでは、第２熱媒体流路切替装置２３を、室内機２に対応させて、紙面下側から第２熱媒体流路切替装置２３ａ、第２熱媒体流路切替装置２３ｂ、第２熱媒体流路切替装置２３ｃ、第２熱媒体流路切替装置２３ｄとして図示している。
【００２８】
熱媒体流量調整装置２５（２５ａ〜２５ｄ）は、開口面積を制御できる二方弁等で構成されており、配管５に流れる熱媒体の流量を調整するものである。熱媒体流量調整装置２５は、室内機２の設置台数に応じた個数が設けられるようになっている。熱媒体流量調整装置２５は、一方が利用側熱交換器２６に、他方が第１熱媒体流路切替装置２２に、それぞれ接続され、利用側熱交換器２６の熱媒体流路の出口側に設けられている。ここでは、熱媒体流量調整装置２５を、室内機２に対応させて、紙面下側から熱媒体流量調整装置２５ａ、熱媒体流量調整装置２５ｂ、熱媒体流量調整装置２５ｃ、熱媒体流量調整装置２５ｄとして図示している。また、熱媒体流量調整装置２５を利用側熱交換器２６の熱媒体流路の入口側に設けてもよい。
【００２９】
熱媒体を循環させるための配管５は、熱媒体間熱交換器１５ａに接続されるものと、熱媒体間熱交換器１５ｂに接続されるものとで構成され、第１熱媒体流路切替装置２２、及び、第２熱媒体流路切替装置２３を介して接続されている。配管５は、熱媒体変換機３に接続される室内機２の台数に応じて分岐（ここでは、各４分岐）されている。そして、配管５は、第１熱媒体流路切替装置２２及び第２熱媒体流路切替装置２３を制御することで、熱媒体間熱交換器１５ａからの熱媒体を利用側熱交換器２６に流入させるか、熱媒体間熱交換器１５ｂからの熱媒体を利用側熱交換器２６に流入させるか、が決定されるようになっている。
【００３０】
［中継器７０］
中継器７０は、室外機１と室内機７１（７１ｅ〜７１ｈ）の間に配置されている。中継器７０は、冷媒の流れを冷房側に切り替える電磁弁６３ａ〜６３ｄ及び暖房側に切り替える電磁弁６４ａ〜６４ｄ、冷房室内機入口部絞り装置６５、全暖・暖主運転時に開く絞り装置６６を有し、室内機７１の冷房・暖房混在運転を可能にしている。また、室内機７１（７１ｅ〜７１ｈ）は、冷媒利用の利用側熱交換器６１（６１ｅ〜６１ｈ）と、室内絞り装置６２（６２ｅ〜６２ｈ）とを有している。
【００３１】
［運転モードの説明］
空気調和装置１００は、圧縮機１０、第１冷媒流路切替装置１１、熱源側熱交換器１２、開閉装置１７、第２冷媒流路切替装置１８、熱媒体間熱交換器１５の冷媒流路、絞り装置１６、及び、アキュムレーター１９を、冷媒配管４で接続して冷媒循環回路Ａを構成している。また、熱媒体間熱交換器１５の熱媒体流路、ポンプ２１、第１熱媒体流路切替装置２２、熱媒体流量調整装置２５、利用側熱交換器２６、及び、第２熱媒体流路切替装置２３を、配管５で接続して熱媒体循環回路Ｂを構成している。つまり、熱媒体間熱交換器１５のそれぞれに、複数台の利用側熱交換器２６のそれぞれが並列に接続されている。
【００３２】
よって、空気調和装置１００では、室外機１と熱媒体変換機３とが、熱媒体変換機３に設けられている熱媒体間熱交換器１５ａ及び熱媒体間熱交換器１５ｂを介して接続され、熱媒体変換機３と室内機２とも、熱媒体間熱交換器１５ａ及び熱媒体間熱交換器１５ｂを介して接続されている。すなわち、空気調和装置１００では、熱媒体間熱交換器１５ａ及び熱媒体間熱交換器１５ｂで冷媒循環回路Ａを循環する熱源側冷媒と熱媒体循環回路Ｂを循環する熱媒体とが熱交換するようになっている。
【００３３】
なお、上記冷媒回路とは別に、配管４を介して室外機１と中継器７０が接続され、中継器７０から室内機７１にも冷媒が供給されている。
【００３４】
空気調和装置１００が実行する各運転モードについて説明する。この空気調和装置１００は、各室内機２からの指示に基づいて、その室内機２で冷房運転あるいは暖房運転が可能になっている。つまり、空気調和装置１００は、室内機２及び室内機７１の全部で同一運転をすることができるとともに、室内機２のそれぞれで異なる運転をすることができるようになっている。
【００３５】
空気調和装置１００が実行する運転モードには、駆動している室内機２、７１の全てが冷房運転を実行する全冷房運転モード、駆動している室内機２、７１の全てが暖房運転を実行する全暖房運転モード、冷房負荷の方が大きい冷房暖房混在運転モードとしての冷房主体運転モード、及び、暖房負荷の方が大きい冷房暖房混在運転モードとしての暖房主体運転モードがある。以下に、各運転モードについて、熱源側冷媒及び熱媒体の流れとともに説明する。
【００３６】
［全冷房運転モード］
図３は、図２に示す空気調和装置１００の全冷房運転モード時における冷媒の流れを示す冷媒回路図である。この図３では、利用側熱交換器２６ａ、２６ｂ、６１ｅ〜６１ｈで冷熱負荷が発生している場合を例に全冷房運転モードについて説明する。なお、図３では、太線で表された配管が冷媒（熱源側冷媒及び熱媒体）の流れる配管を示している。また、図３では、熱源側冷媒の流れ方向を実線矢印で、熱媒体の流れ方向を破線矢印で示している。
【００３７】
図３に示す全冷房運転モードの場合、室外機１では、第１冷媒流路切替装置１１を、圧縮機１０から吐出された熱源側冷媒を熱源側熱交換器１２へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００３８】
まず始めに、冷媒循環回路Ａにおける熱源側冷媒の流れについて説明する。低温・低圧の冷媒が圧縮機１０によって圧縮され、高温・高圧のガス冷媒となって吐出される。圧縮機１０から吐出された高温・高圧のガス冷媒は、第１冷媒流路切替装置１１を介して熱源側熱交換器１２に流入する。そして、熱源側熱交換器１２で室外空気に放熱しながら高圧の液冷媒となる。熱源側熱交換器１２から流出した高圧冷媒は、逆止弁１３ａを通って、室外機１から流出し、冷媒配管４を通って熱媒体変換機３に流入する。熱媒体変換機３に流入した高圧冷媒は、開閉装置１７ａを経由した後に分岐されて絞り装置１６ａ及び絞り装置１６ｂで膨張させられて、低温・低圧の二相冷媒となる。なお、開閉装置１７ｂは閉となっている。
【００３９】
この二相冷媒は、蒸発器として作用する熱媒体間熱交換器１５ａ及び熱媒体間熱交換器１５ｂのそれぞれに流入し、熱媒体循環回路Ｂを循環する熱媒体から吸熱することで、熱媒体を冷却しながら、低温・低圧のガス冷媒となる。熱媒体間熱交換器１５ａ及び熱媒体間熱交換器１５ｂから流出したガス冷媒は、第２冷媒流路切替装置１８ａ、第２冷媒流路切替装置１８ｂを介し、熱媒体変換機３から流出し、冷媒配管４を通って再び室外機１へ流入する。室外機１に流入した冷媒は、逆止弁１３ｄを通って、第１冷媒流路切替装置１１及びアキュムレーター１９を介して、圧縮機１０へ再度吸入される。
【００４０】
次に、熱媒体循環回路Ｂにおける熱媒体の流れについて説明する。全冷房運転モードでは、熱媒体間熱交換器１５ａ及び熱媒体間熱交換器１５ｂの双方で熱源側冷媒の冷熱が熱媒体に伝えられ、冷やされた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気から吸熱することで、室内空間７の冷房を行なう。
【００４１】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。
【００４２】
全冷房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図３においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００４３】
また、上記配管４を通った熱源側冷媒は、中継器７０側にも流入し、絞り装置６５、絞り装置６２を通った後、利用側熱交換器６１で吸熱した後蒸発し、電磁弁６３を経由の後、室外機１へ戻る。これにより、室内空間８０が冷房される。
【００４４】
［全暖房運転モード］
図４は、図２に示す空気調和装置１００の全暖房運転モード時における冷媒の流れを示す冷媒回路図である。この図４では、利用側熱交換器２６ａ、２６ｂ、６１ｅ〜６１ｈで温熱負荷が発生している場合を例に全暖房運転モードについて説明する。なお、図４では、太線で表された配管が冷媒（熱源側冷媒及び熱媒体）の流れる配管を示している。また、図４では、熱源側冷媒の流れ方向を実線矢印で、熱媒体の流れ方向を破線矢印で示している。
【００４５】
図４に示す全暖房運転モードの場合、室外機１では、第１冷媒流路切替装置１１を、圧縮機１０から吐出された熱源側冷媒を、熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００４６】
まず始めに、冷媒循環回路Ａにおける熱源側冷媒の流れについて説明する。低温・低圧の冷媒が圧縮機１０によって圧縮され、高温・高圧のガス冷媒となって吐出される。圧縮機１０から吐出された高温・高圧のガス冷媒は、第１冷媒流路切替装置１１、逆止弁１３ｂを通り、室外機１から流出する。室外機１から流出した高温・高圧のガス冷媒は、冷媒配管４を通って熱媒体変換機３に流入する。熱媒体変換機３に流入した高温・高圧のガス冷媒は、分岐されて第２冷媒流路切替装置１８ａ及び第２冷媒流路切替装置１８ｂを通って、熱媒体間熱交換器１５ａ及び熱媒体間熱交換器１５ｂのそれぞれに流入する。
【００４７】
熱媒体間熱交換器１５ａ及び熱媒体間熱交換器１５ｂに流入した高温・高圧のガス冷媒は、熱媒体循環回路Ｂを循環する熱媒体に放熱しながら高圧の液冷媒となる。熱媒体間熱交換器１５ａ及び熱媒体間熱交換器１５ｂから流出した液冷媒は、絞り装置１６ａ及び絞り装置１６ｂで膨張させられて、低温・低圧の二相冷媒となる。この二相冷媒は、開閉装置１７ｂを通って、熱媒体変換機３から流出し、冷媒配管４を通って再び室外機１へ流入する。なお、開閉装置１７ａは閉となっている。
【００４８】
室外機１に流入した冷媒は、逆止弁１３ｃを通って、蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１及びアキュムレーター１９を介して圧縮機１０へ再度吸入される。
【００４９】
次に、熱媒体循環回路Ｂにおける熱媒体の流れについて説明する。
全暖房運転モードでは、熱媒体間熱交換器１５ａ及び熱媒体間熱交換器１５ｂの双方で熱源側冷媒の温熱が熱媒体に伝えられ、暖められた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気に放熱することで、室内空間７の暖房を行なう。
【００５０】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。
【００５１】
全暖房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図４においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００５２】
また、上記配管４を通った熱源側冷媒（ガス冷媒）は、中継器７０側にも流入し、電磁弁６４を経由後、利用側熱交換器６１で放熱し、室内絞り装置６２及び絞り装置６６を通った後、配管４を経由して室外機１へ戻る。これにより、室内空間８０が暖房される。
【００５３】
［冷房主体運転モード］
図５は、図２に示す空気調和装置１００の冷房主体運転モード時における冷媒の流れを示す冷媒回路図である。この図５では、利用側熱交換器２６ａで冷熱負荷が発生し、利用側熱交換器２６ｂで温熱負荷が発生している場合を例に冷房主体運転モードについて説明する。なお、図５では、太線で表された配管が冷媒（熱源側冷媒及び熱媒体）の循環する配管を示している。また、図５では、熱源側冷媒の流れ方向を実線矢印で、熱媒体の流れ方向を破線矢印で示している。
【００５４】
図５に示す冷房主体運転モードの場合、室外機１では、第１冷媒流路切替装置１１を、圧縮機１０から吐出された熱源側冷媒を熱源側熱交換器１２へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａと利用側熱交換器２６ａとの間を、熱媒体間熱交換器１５ｂと利用側熱交換器２６ｂとの間を、それぞれ熱媒体が循環するようにしている。
【００５５】
まず始めに、冷媒循環回路Ａにおける熱源側冷媒の流れについて説明する。低温・低圧の冷媒が圧縮機１０によって圧縮され、高温・高圧のガス冷媒となって吐出される。圧縮機１０から吐出された高温・高圧のガス冷媒は、第１冷媒流路切替装置１１を介して熱源側熱交換器１２に流入する。そして、熱源側熱交換器１２で室外空気に放熱しながら液冷媒となる。熱源側熱交換器１２から流出した冷媒は、室外機１から流出し、逆止弁１３ａ、冷媒配管４を通って熱媒体変換機３に流入する。熱媒体変換機３に流入した冷媒は、第２冷媒流路切替装置１８ｂを通って凝縮器として作用する熱媒体間熱交換器１５ｂに流入する。
【００５６】
熱媒体間熱交換器１５ｂに流入した冷媒は、熱媒体循環回路Ｂを循環する熱媒体に放熱しながら、さらに温度が低下した冷媒となる。熱媒体間熱交換器１５ｂから流出した冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで、熱媒体を冷却しながら、低圧のガス冷媒となる。このガス冷媒は、熱媒体間熱交換器１５ａから流出し、第２冷媒流路切替装置１８ａを介して熱媒体変換機３から流出し、冷媒配管４を通って再び室外機１へ流入する。室外機１に流入した冷媒は、逆止弁１３ｄ、第１冷媒流路切替装置１１及びアキュムレーター１９を介して、圧縮機１０へ再度吸入される。
【００５７】
次に、熱媒体循環回路Ｂにおける熱媒体の流れについて説明する。
冷房主体運転モードでは、熱媒体間熱交換器１５ｂで熱源側冷媒の温熱が熱媒体に伝えられ、暖められた熱媒体がポンプ２１ｂによって配管５内を流動させられることになる。また、冷房主体運転モードでは、熱媒体間熱交換器１５ａで熱源側冷媒の冷熱が熱媒体に伝えられ、冷やされた熱媒体がポンプ２１ａによって配管５内を流動させられることになる。ポンプ２１ｂで加圧されて流出した暖められた熱媒体は、第２熱媒体流路切替装置２３ｂを介して利用側熱交換器２６ｂに流入する。ポンプ２１ａで加圧されて流出した冷やされた熱媒体は、第２熱媒体流路切替装置２３ａを介して、利用側熱交換器２６ａに流入する。
【００５８】
利用側熱交換器２６ｂでは熱媒体が室内空気に放熱することで、室内空間７の暖房を行なう。また、利用側熱交換器２６ａでは熱媒体が室内空気から吸熱することで、室内空間７の冷房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。利用側熱交換器２６ｂを通過し若干温度が低下した熱媒体は、熱媒体流量調整装置２５ｂ及び第１熱媒体流路切替装置２２ｂを通って、熱媒体間熱交換器１５ｂへ流入し、再びポンプ２１ｂへ吸い込まれる。一方、利用側熱交換器２６ａを通過し若干温度が上昇した熱媒体は、熱媒体流量調整装置２５ａ及び第１熱媒体流路切替装置２２ａを通って、熱媒体間熱交換器１５ａへ流入し、再びポンプ２１ａへ吸い込まれる。
【００５９】
冷房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図５においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００６０】
また、上記配管４を通った冷媒は、中継器７０側にも流入し、流入した一部が電磁弁６４ｅを経由して室内機７１ｅに入り利用側熱交換器６１ｅで放熱後、絞り装置６２ｅで減圧され、中継器７０に再流入する。この再流入した冷媒は絞り装置６５を通った冷媒と合流して、室内絞り装置６２ｆ〜６２ｈを経由後、利用側熱交換器６１ｆ〜６１ｈで吸熱した後蒸発し、電磁弁６３を経由の後、室外機１へ戻る。
【００６１】
［暖房主体運転モード］
図６は、図２に示す空気調和装置１００の暖房主体運転モード時における冷媒の流れを示す冷媒回路図である。この図６では、利用側熱交換器２６ａで温熱負荷が発生し、利用側熱交換器２６ｂで冷熱負荷が発生している場合を例に暖房主体運転モードについて説明する。なお、図６では、太線で表された配管が冷媒（熱源側冷媒及び熱媒体）の循環する配管を示している。また、図６では、熱源側冷媒の流れ方向を実線矢印で、熱媒体の流れ方向を破線矢印で示している。
【００６２】
図６に示す暖房主体運転モードの場合、室外機１では、第１冷媒流路切替装置１１を、圧縮機１０から吐出された熱源側冷媒を熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａと利用側熱交換器２６ｂとの間を、熱媒体間熱交換器１５ｂと利用側熱交換器２６ａとの間を、それぞれ熱媒体が循環するようにしている。
【００６３】
まず始めに、冷媒循環回路Ａにおける熱源側冷媒の流れについて説明する。低温・低圧の冷媒が圧縮機１０によって圧縮され、高温・高圧のガス冷媒となって吐出される。圧縮機１０から吐出された高温・高圧のガス冷媒は、第１冷媒流路切替装置１１、逆止弁１３ｂを通り、室外機１から流出する。室外機１から流出した高温・高圧のガス冷媒は、冷媒配管４を通って熱媒体変換機３に流入する。熱媒体変換機３に流入した高温・高圧のガス冷媒は、第２冷媒流路切替装置１８ｂを通って凝縮器として作用する熱媒体間熱交換器１５ｂに流入する。
【００６４】
熱媒体間熱交換器１５ｂに流入したガス冷媒は、熱媒体循環回路Ｂを循環する熱媒体に放熱しながら液冷媒となる。熱媒体間熱交換器１５ｂから流出した冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで蒸発し、熱媒体を冷却する。この低圧二相冷媒は、熱媒体間熱交換器１５ａから流出し、第２冷媒流路切替装置１８ａを介し、熱媒体変換機３から流出し、再び室外機１へ流入する。
【００６５】
室外機１に流入した冷媒は、逆止弁１３ｃを通って、蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１及びアキュムレーター１９を介して圧縮機１０へ再度吸入される。
【００６６】
次に、熱媒体循環回路Ｂにおける熱媒体の流れについて説明する。
暖房主体運転モードでは、熱媒体間熱交換器１５ｂで熱源側冷媒の温熱が熱媒体に伝えられ、暖められた熱媒体がポンプ２１ｂによって配管５内を流動させられることになる。また、暖房主体運転モードでは、熱媒体間熱交換器１５ａで熱源側冷媒の冷熱が熱媒体に伝えられ、冷やされた熱媒体がポンプ２１ａによって配管５内を流動させられることになる。ポンプ２１ｂで加圧されて流出した暖められた熱媒体は、第２熱媒体流路切替装置２３ａを介して、用側熱交換器２６ａに流入する。ポンプ２１ａで加圧されて流出した冷やされた熱媒体は、第２熱媒体流路切替装置２３ｂを介して、利用側熱交換器２６ｂに流入する。
【００６７】
利用側熱交換器２６ｂでは熱媒体が室内空気から吸熱することで、室内空間７の冷房を行なう。また、利用側熱交換器２６ａでは熱媒体が室内空気に放熱することで、室内空間７の暖房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。利用側熱交換器２６ｂを通過し若干温度が上昇した熱媒体は、熱媒体流量調整装置２５ｂ及び第１熱媒体流路切替装置２２ｂを通って、熱媒体間熱交換器１５ａに流入し、再びポンプ２１ａへ吸い込まれる。利用側熱交換器２６ａを通過し若干温度が低下した熱媒体は、熱媒体流量調整装置２５ａ及び第１熱媒体流路切替装置２２ａを通って、熱媒体間熱交換器１５ｂへ流入し、再びポンプ２１ｂへ吸い込まれる。
【００６８】
暖房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図６においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００６９】
また、上記配管４を通ったガス冷媒は、中継器７０側にも流入し、流入した一部が電磁弁６４ｅ〜６４ｇに入る。電磁弁６４ｅ〜６４を通過した冷媒は室内機７１ｅ〜７１ｇに入り利用側熱交換器６１ｅ〜６１ｇで放熱後、絞り装置６２ｅ〜６２ｇで減圧されて中継器７０に再度流入し、絞り装置６５を通ったものと合流する。この合流した冷媒の一部が、絞り装置６２ｈを経由後、利用側熱交換器６１ｈで吸熱した後蒸発し、電磁弁６３ｈに入る。そして電磁弁６３ｈを出た冷媒は、上記合流後に分離して絞り装置６６を通過した冷媒と再度合流して室外機１へ戻る。
【００７０】
［冷媒配管４］
以上説明したように、実施の形態に係る空気調和装置１００は、幾つかの運転モードを具備している。これらの運転モードにおいては、室外機１と熱媒体変換機３または中継器７０とを接続する冷媒配管４に熱源側冷媒が流れる。
【００７１】
［配管５］
本実施の形態に係る空気調和装置１００が実行するそれぞれの運転モードにおいては、熱媒体変換機３と室内機２を接続する配管５に水や不凍液等の熱媒体が流れる。
【００７２】
［熱媒体］
熱媒体としては、たとえばブライン（不凍液）や水、ブラインと水の混合液、水と防食効果が高い添加剤の混合液等を用いることができる。したがって、空気調和装置１００においては、熱媒体が室内機２を介して室内空間７に漏洩したとしても、熱媒体に安全性の高いものを使用しているため安全性の向上に寄与することになる。
【００７３】
次に、空気調和装置１００に対応する室内機を設置する際における、該室内機を循環する加熱又は冷却のための媒体の選定方法を説明する。
【００７４】
図７は室内機Ａ〜Ｆを有した空気調和装置１００が空調する空間の一例である。通路等の空間に熱媒体変換機３、中継器７０、及び空調機Ｆが設置され、５つの空調空間（又は部屋）を５つの室内機Ａ〜Ｅで空調する設定となっている。ここで、室内機Ａの空間は８００ｍ３、室内機Ｂの空間は８０ｍ３、室内機Ｃの空間は１２０ｍ３、室内機Ｄの空間は１２０ｍ３、室内機Ｅの空間は６０ｍ３とする。そして、中継器７０から各室内機までの距離は、室内機Ａ、Ｂ、Ｃ、Ｄ、Ｅの順番で近いとする。なお、室内機Ａ〜室内機Ｅは、図１〜図６に示した室内機２６，７１の記号とは別に規定した記号である。
【００７５】
図８は、本発明の一実施の形態に係る、図７の各空間に配置した室内機を循環する媒体の距離に基づく選定方法を示すフローチャートである。
【００７６】
（ステップ１）
各空間Ａ〜Ｅの必要能力を選定する。また、この時、自動的に選択することから除外する室内機を選定する。例えば、室内機Ｆのように共通フロアへの設置の場合は、媒体として水は使用せず、冷媒を使用する。なお、冷媒音が気になるような場合には、媒体を水とする選択もある。なお、図８では便宜上、冷媒をフロン冷媒とした。
【００７７】
（ステップ２）
ステップ１で除外の室内機以外の室内機（ここではＡ〜Ｅ）の媒体が、すべて冷媒とした場合の空気調和装置１００の総冷媒量を計算する。例えばここでは、総冷媒量は２５ｋｇとする。
【００７８】
（ステップ３）
空気調和装置１００の総冷媒量すべてが、１つの空調空間で漏洩した場合の濃度を、各空調空間毎に計算する。例えば、室内機Ｂの空間では、２５ｋｇ÷８０ｍ３＝０．３１ｋｇ／ｍ３、と室内機Ｅの空間では、２５ｋｇ÷６０ｍ３＝０．４１６ｋｇ／ｍ３、となる。
【００７９】
（ステップ４）
ステップ３の計算の結果、冷媒濃度が限界濃度を超える空調空間があるかを判定する。例えば限界濃度が０．３ｋｇ／ｍ３に設定していた場合は、室内機Ｂ（０．３１ｋｇ／ｍ３）と、室内機Ｅ（０．４１６ｋｇ／ｍ３）の空調空間が限界濃度を超えることとなる。
【００８０】
（ステップ５）
ステップ４で限界濃度を超過した空調空間のなかで、中継器７０から最も遠い方の室内機７１の利用側熱交換器の媒体を、冷媒から水に変更する。この例では、上記距離に関して、室内機Ｂより室内機Ｅの方が遠いため、室内機Ｅの媒体を水にする。なお、上記の「中継器７０から最も遠い方の室内機７１」とは、中継器７０から室内機７１までの冷媒回路長さが最も長いことに対応する。これは、中継器７０から室内機７１までの冷媒回路が長いと、その分、冷媒の漏洩量が多くなることを考慮したものである。
【００８１】
（ステップ６）
再度、空気調和装置１００の総冷媒量を計算し、ステップ３に戻る。
【００８２】
（ステップ７）
ステップ４で限界濃度を超過する空調空間がない場合は、検討完了として室内機の媒体を決定する。
【００８３】
図８のフローによれば、室内機Ａ〜Ｄには冷媒を循環させ、室内機Ｅには水を循環させることが自動的に決定される。従って、室内機Ａ〜Ｄには図１〜図６に示す室内機７１を適用し、室内機Ｅには図１〜図６に示す室内機２を適用する。
【００８４】
図９は、本発明の他の実施の形態に係る、図７の各空間に配置した室内機を循環する媒体の量に基づく選定方法を示すフローチャートである。図９と図８の相違は、ステップ５だけである。すなわち、図９の例は、限界濃度を超過していた空調空間のなかで、空気調和装置１００の総冷媒量が最少となる室内機（すなわち、総冷媒量の削減幅が最大となる室内機）に対応する循環媒体を水に変更するものである。
【００８５】
図１０は、本発明の更に他の実施の形態に係る、図７の各空間に配置した室内機を循環する媒体の室内容積に基づく選定方法を示すフローチャートである。図１０と図８の相違は、ステップ５だけである。すなわち、図１０の例は、限界濃度を超過していた空調空間のなかで、容積が最小となる空調空間に対応する室内機の循環媒体を水に変更するものである。
【００８６】
なお、ステップ５で、限界濃度とは関係なく、単純に、「中継器から最も遠い方の室内機」、「総冷媒量の削減幅が最大となる室内機」、「容積が最小となる空調空間に対応する室内機」の循環冷媒を水と決定しても良い。
【００８７】
図８〜図１０に示したような方法を採用することにより、図１〜図６に示した冷媒と水やブラインとの空調が混在したシステムの施工時において、室内機を循環する熱媒体（冷媒、水、ブライン等）の各空間における使い分けを自動的に決定することが可能となる。そしてこれにより、いずれの空調空間でも許容限度を越える冷媒の漏洩が防止できるという効果を奏する。
【符号の説明】
【００８８】
１  室外機、２（２ａ〜２ｄ）  室内機、３  熱媒体変換機、４  冷媒配管、４ａ  第１接続配管、４ｂ  第２接続配管、５  配管、６  室外空間、７  室内空間、８  空間、９  建物、１０  圧縮機、１１  第１冷媒流路切替装置、１２  熱源側熱交換器、１３（１３ａ〜１３ｄ）  逆止弁、１５（１５ａ，１５ｂ）  熱媒体間熱交換器、１６（１６ａ，１６ｂ）  絞り装置、１７（１７ａ，１７ｂ）  開閉装置、１８（１８ａ，１８ｂ）  第２冷媒流路切替装置、１９  アキュムレーター、２１（２１ａ，２１ｂ）  ポンプ、２２（２２ａ〜２２ｄ）  第１熱媒体流路切替装置、２３（２３ａ〜２３ｄ）  第２熱媒体流路切替装置、２５（２５ａ〜２５ｄ）  熱媒体流量調整装置、２６（２６ａ〜２６ｄ）  利用側熱交換器、６１（６１ｅ〜６１ｈ） 利用側熱交換器、６２（６２ｅ〜６２ｈ）  室内絞り装置、６３（６３ｅ〜６３ｈ）  電磁弁、６４（６４ｅ〜６４ｈ）  電磁弁、６５  絞り装置、６６  絞り装置、６７  配管、７０ 中継器、７１（７１ｅ〜７１ｈ） 室内機、１００  空気調和装置、Ａ  冷媒循環回路、Ｂ  熱媒体循環回路。
【図１】
2013080257.tif 000003
【図２】
2013080257.tif 000004
【図３】
2013080257.tif 000005
【図４】
2013080257.tif 000006
【図５】
2013080257.tif 000007
【図６】
2013080257.tif 000008
【図７】
2013080257.tif 000009
【図８】
2013080257.tif 000010
【図９】
2013080257.tif 000011
【図１０】
2013080257.tif 000012
【手続補正書】
【提出日】平成26年4月23日(2014.4.23)
【手続補正１】
【補正対象書類名】明細書
【補正対象項目名】０００９
【補正方法】変更
【補正の内容】
【０００９】
本発明に係る空調システムの施工時における利用側熱交換器の熱媒体選定方法は、
複数の空間を空調対象とし、各空間にそれぞれ設置する利用側熱交換器の循環熱媒体として冷媒と無毒性の媒体との２種類が共存可能な空調システムの施工時における利用側熱交換器の熱媒体選定方法であって、
各空調空間に対応した前記冷媒を使用すると仮定した前記利用側熱交換器の必要能力を決定する第１ステップと、
決定した能力を有する前記利用側熱交換器の全てに前記冷媒を循環させるとしたときに必要な総冷媒量を算出する第２ステップと、
前記総冷媒量が冷媒利用の各空調空間のそれぞれで漏洩したときの冷媒濃度を各空調空間毎に算出する第３ステップと、
各空調空間の前記冷媒濃度が予め定めた限界濃度を超えるか否か判断する第４ステップと、
前記第４ステップにおいて前記限界濃度を超える空調空間があった場合に、前記空調空間の何れか１つに設置する利用側熱交換器の循環熱媒体を無毒性の媒体に選定する第５ステップと、
無毒性の媒体に選定された利用側熱交換器以外の前記利用側熱交換器の全てに冷媒を循環させるとしたときに必要な総冷媒量を算出して前記第３ステップの総冷媒量とする第６ステップと、を備えたものである。
【手続補正２】
【補正対象書類名】明細書
【補正対象項目名】００７４
【補正方法】変更
【補正の内容】
【００７４】
図７は室内機Ａ〜Ｆを有した空気調和装置１００が空調する空間の一例である。通路等の空間に熱媒体変換機３、中継器７０、及び室内機Ｆが設置され、５つの空調空間（又は部屋）を５つの室内機Ａ〜Ｅで空調する設定となっている。ここで、室内機Ａの空間は８００ｍ３、室内機Ｂの空間は８０ｍ３、室内機Ｃの空間は１２０ｍ３、室内機Ｄの空間は１２０ｍ３、室内機Ｅの空間は６０ｍ３とする。そして、中継器７０から各室内機までの距離は、室内機Ａ、Ｂ、Ｃ、Ｄ、Ｅの順番で近いとする。なお、室内機Ａ〜室内機Ｅは、図１〜図６に示した室内機２，７１の記号とは別に規定した記号である。
【手続補正３】
【補正対象書類名】明細書
【補正対象項目名】００７６
【補正方法】変更
【補正の内容】
【００７６】
（ステップ１）
室内機Ａ〜室内機Ｅが設置された各空間の必要能力を選定する。また、この時、自動的に選択することから除外する室内機を選定する。例えば、室内機Ｆのように共通フロアへの設置の場合は、媒体として水は使用せず、冷媒を使用する。なお、冷媒音が気になるような場合には、媒体を水とする選択もある。なお、図８では便宜上、冷媒をフロン冷媒とした。
【手続補正４】
【補正対象書類名】特許請求の範囲
【補正対象項目名】全文
【補正方法】変更
【補正の内容】
【特許請求の範囲】
【請求項１】
複数の空間を空調対象とし、各空間にそれぞれ設置する利用側熱交換器の循環熱媒体として冷媒と無毒性の媒体との２種類が共存可能な空調システムの施工時における利用側熱交換器の熱媒体選定方法であって、
各空調空間に対応した前記冷媒を使用すると仮定した前記利用側熱交換器の必要能力を決定する第１ステップと、
決定した能力を有する前記利用側熱交換器の全てに前記冷媒を循環させるとしたときに必要な総冷媒量を算出する第２ステップと、
前記総冷媒量が冷媒利用の各空調空間のそれぞれで漏洩したときの冷媒濃度を各空調空間毎に算出する第３ステップと、
各空調空間の前記冷媒濃度が予め定めた限界濃度を超えるか否か判断する第４ステップと、
前記第４ステップにおいて前記限界濃度を超える空調空間があった場合に、前記空調空間の何れか１つに設置する利用側熱交換器の循環熱媒体を無毒性の媒体に選定する第５ステップと、
無毒性の媒体に選定された利用側熱交換器以外の前記利用側熱交換器の全てに冷媒を循環させるとしたときに必要な総冷媒量を算出して前記第３ステップの総冷媒量とする第６ステップと、
を備えた空調システムの施工時における利用側熱交換器の熱媒体選定方法。
【請求項２】
前記ステップ５において、
前記複数の利用側熱交換器の運転態様に応じて各利用側熱交換器に対する前記冷媒の流れを切り替える中継器から最も遠い利用側熱交換器の循環熱媒体を、無毒性の媒体とする請求項１記載の熱媒体選定方法。
【請求項３】
前記ステップ５において、
前記総冷媒量の削減幅が最大となる利用側熱交換器の循環熱媒体を、無毒性の媒体とする請求項１記載の熱媒体選定方法。
【請求項４】
前記ステップ５において、
前記空調空間のなかで容積が最も小さい空調空間に対応する利用側熱交換器の循環熱媒体を無毒性の媒体とする請求項１記載の熱媒体選定方法。
【請求項５】
前記第５ステップで前記循環熱媒体を無毒性の媒体とするのは、前記ステップ４において前記限界濃度を越えた空調空間のなかから選定される請求項１〜４のいずれか一項に記載の熱媒体選定方法。
【請求項６】
前記複数の空調空間の間で、冷房運転と暖房運転との混在運転を可能としている、請求項１〜５のいずれか一項に記載の熱媒体選定方法。
【請求項７】
前記循環熱媒体として無毒性の媒体が選定された利用側熱交換器として、予め無毒性の媒体が循環するように構成されている利用側熱交換器（２６ａ〜２６ｄ）を使用するように施工する、請求項１〜６のいずれか一項に記載の熱媒体選定方法。
【国際調査報告】
2013080257.tif 000013
2013080257.tif 000014
2013080257.tif 000015
2013080257.tif 000016